(57)【要約】【課題】かご内を換気することができ、かごが昇降路を昇降するときに生じるかご内の騒音を低減し、また、かごが昇降路を昇降するときに生じるかご内の気圧の変化を抑制することができるエレベータのかごを得る。【解決手段】エレベータのかごは、かご床２および天井４を有したかご室１と、かご床２に設けられた開閉装置３２とを備えている。かご床２にはかご室１の内外を連通する換気路が形成され、開閉装置３２は換気路を開閉する。かご床２は、換気口１１ａが形成された床板１１と、床板１１から下方に離れて設けられ換気口１３ａが形成された底板１３と、床板１１および底板１３に接続された梁部材１４とを有し、床板１１、底板１３および梁部材１４から、換気口１１ａと換気口１３ａとを連通する空気流路１９が形成されている。換気口１１ａ、換気口１３ａおよび空気流路１９は、かご床２の換気路を構成している。【選択図】図２
2011162325.tif 000002
【特許請求の範囲】
【請求項１】
かご床および天井を有したかご室と、
前記かご室に設けられた開閉装置とを備え、
前記かご床および前記天井の少なくとも一方には、前記かご室の内外を連通する換気路が形成され、
前記開閉装置は、前記換気路を開閉することを特徴とするエレベータのかご。
【請求項２】
前記換気路が形成された前記かご床および前記天井の少なくとも一方は、第１の換気口が形成された内側板部材と、前記内側板部材から離れて設けられ、前記内側板部材に対向し、第２の換気口が形成された外側板部材と、前記内側板部材および前記外側板部材に接続された接続部材とを有し、前記内側板部材、前記外側板部材および前記接続部材から、前記第１の換気口と前記第２の換気口とを連通する空気流路が形成され、
前記第１の換気口、前記第２の換気口および前記空気流路は、前記換気路を構成していることを特徴とする請求項１に記載のエレベータのかご。
【請求項３】
前記換気路が形成された前記かご床および前記天井の少なくとも一方は、前記内側板部材を補強する補強部材をさらに有していることを特徴とする請求項２に記載のエレベータのかご。
【請求項４】
前記補強部材は、前記内側板部材および前記外側板部材に接合されていることを特徴とする請求項３に記載のエレベータのかご。
【請求項５】
前記補強部材には、空気が通過可能な貫通孔が形成されていることを特徴とする請求項４に記載のエレベータのかご。
【発明の詳細な説明】
【技術分野】
【０００１】
この発明は、昇降路を昇降するエレベータのかごに関する。
【背景技術】
【０００２】
従来、かご床の周縁部の上面に設けられ、巾木が取り付けられる巾木台を備えたエレベータのかごが知られている。巾木台には、かごの内外を連通する換気口が形成されている。かごが昇降路を昇降することにより、かごの周囲に空気の流れが生じ、空気が換気口を通ってかご内に出入りして、かご内が換気される（例えば、特許文献１参照）。
【先行技術文献】
【特許文献】
【０００３】
【特許文献１】国際公開第ＷＯ２００８／０５０３９０号公報
【発明の概要】
【発明が解決しようとする課題】
【０００４】
しかしながら、かごが昇降路を昇降するときに、風切り音が発生し、この風切り音が換気口を通ってかご内に伝達されるので、かご内の騒音が増大してしまうという問題点があった。
【０００５】
また、換気口が常に開いているので、かごが昇降路を昇降するときに、かご内の気圧が変化する。これにより、気圧の変化によって生じる耳の痛み等の不快感を乗客に与えてしまうという問題点があった。
【０００６】
この発明は、かご内を換気することができ、かごが昇降路を昇降するときに生じるかご内の騒音を低減し、また、かごが昇降路を昇降するときに生じるかご内の気圧の変化を抑制することができるエレベータのかごを提供するものである。
【課題を解決するための手段】
【０００７】
この発明に係るエレベータのかごは、かご床および天井を有したかご室と、前記かご室に設けられた開閉装置とを備え、前記かご床および前記天井の少なくとも一方には、前記かご室の内外を連通する換気路が形成され、前記開閉装置は、前記換気路を開閉する。
【発明の効果】
【０００８】
この発明に係るエレベータのかごによれば、開閉装置が換気路を開閉するので、かごが昇降路を昇降するときに、換気路を閉じることができる。その結果、かごが昇降路を昇降するときに生じるかご内の騒音を低減し、また、かごが昇降路を昇降するときに生じるかご内の気圧の変化を抑制することができる。また、換気路を開くことによりかご内を換気することができる。
【図面の簡単な説明】
【０００９】
【図１】この発明の実施の形態１に係るエレベータのかごを示す斜視図である。
【図２】図１のかごの下端部を示す縦断面図である。
【図３】図２のかごの下端部の要部を拡大した縦断面図である。
【図４】図２の換気路が開いた状態のかごの下端部を示す縦断面図である。
【図５】図２の換気路が開いた状態のかごの下端部を示す斜視図である。
【図６】この発明の実施の形態２に係るエレベータのかごの下端部を示す縦断面図である。
【図７】図６のエレベータのかごの下端部を示す斜視図である。
【発明を実施するための形態】
【００１０】
以下、この発明の各実施の形態を図に基づいて説明するが、各図において、同一または相当の部材、部位については、同一符号を付して説明する。
【００１１】
実施の形態１．
図１はこの発明の実施の形態１に係るエレベータのかごを示す斜視図である。図において、エレベータの昇降路には、かご室１が昇降可能に設けられている。かご室１は、かご枠（図示せず）に支持されている。かご室１は、かご床２と、かご床２に立てられた壁３と、壁３の上端部に設けられた天井４と、かご床２に設けられた一対のかご床支持枠５とを備えている。かご床２は、上方から視たときの形状が四角形状となっている。壁３は、かご床２の周縁部の上面に立てられている。壁３は、出入口６が形成された正面パネル７と、かご床２の奥行方向に正面パネル７と対向する背面パネル８と、かご床２の幅方向について互いに対向する一対の側面パネル９とを有している。正面パネル７には、出入口６を開閉するかごドア１０が設けられている。天井４は、正面パネル７、背面パネル８および側面パネル９の各上端部に渡って載せられている。かご床支持枠５は、かご床２の幅方向両端部の下面に設けられている。また、かご床支持枠５は、かご床２の奥行方向に延びている。かご枠は、かご室１の下方に設けられたかご下枠と、かご室１の上方に設けられたかご上枠と、かご下枠およびかご上枠に接続されたかご縦枠とを有している。かご床支持枠５は、かご下枠の上面に載せられている。
【００１２】
図２は図１のかごの下端部を示す縦断面図、図３は図２のかごの下端部の要部を拡大した縦断面図である。図において、かご床２は、床板（内側板部材）１１と、床板１１の上面に重ねられた敷物１２と、床板１１から下方に離れて設けられた底板（外側板部材）１３と、床板１１および底板１３に接続された梁部材（接続部材）１４と、床板１１の下面に設けられ床板１１を補強する複数の床梁部材（補強部材）１５とを有している。
【００１３】
床板１１の周縁部の上面には、敷物１２が重ねられておらず、床板１１の周縁部の上面は、露出されている。床板１１の周縁部には、出入口６（図１）に対向する部分を除いて、複数の換気口（第１の換気口）１１ａが形成されている。換気口１１ａは、床板１１の外周側面に沿って並べて配置されている。
【００１４】
底板１３は、床板１１に対向して配置されている。底板１３の幅方向中央部には、換気口（第２の換気口）１３ａが形成されている。換気口１３ａは、底板１３の奥行方向に延びて形成されている。
【００１５】
梁部材１４は、図１に示すように、正面パネル７の下方に位置する前梁１６と、背面パネル８の下方に位置する後梁１７と、各側面パネル９の下方に位置する側梁１８とを有している。図２に示すように、床板１１、底板１３および梁部材１４から、換気口１１ａと換気口１３ａとを連通する空気流路１９が形成されている。
【００１６】
床梁部材１５は、床板１１の幅方向に並べて配置されている。床梁部材１５は、上端部が開口された箱形状に形成されている。床梁部材１５の上端部が床板１１の下面に接続されている。床梁部材１５は、かご床２の奥行方向に延びて形成されている。
【００１７】
床板１１の周縁部の上面には、巾木台２０が設けられている。巾木台２０は、出入口６を除いた正面パネル７の部分と、背面パネル８と、側面パネル９とに沿って設けられている。巾木台２０は、床板１１の周縁部の上面に立てられた立設部２１と、床板１１の周縁部の上面に重ねられ立設部２１の下端部から床板１１の中心側に向かって延びた土台部２２と、立設部２１の下端部に設けられ土台部２２に対向する対向部２３と、対向部２３の立設部２１から離れた側の端部に設けられ対向部２３から上方に延びた接続部２４と、立設部２１の上下方向中間部に設けられ土台部２２に対向した取付部２５とを有している。土台部２２には、複数の換気口２２ａが形成されている。土台部２２は、換気口２２ａが床板１１の換気口１１ａと重なるように配置されている。取付部２５は、床板１１の外周側面に沿って複数個並べて配置されている。隣り合う取付部２５間には、空気が通過できるように隙間が形成されている。
【００１８】
取付部２５には、かごの内側から巾木台２０を被う板形状の巾木２６が取り付けられている。巾木２６は、床板１１に対して垂直に立てられている。巾木２６の下端部は、床板１１および敷物１２よりも上方に位置している。巾木２６の上端部は、接続部２４よりも下方に位置している。
【００１９】
側面パネル９は、かごの内側に面し巾木台２０の接続部２４に接続された内壁板２７と、かごの外側に面し内壁板２７から離れて設けられ内壁板２７に対向した外壁板２８とを有している。外壁板２８は、床板１１に接続されている。内壁板２７と外壁板２８とは、互いに離れて対向している。つまり、側面パネル９は、二重構造となっている。図示していないが、この例では、正面パネル７および背面パネル８も、側面パネル９と同様に二重構造となっている。壁３が二重構造となっているので、壁３を介してかご内に音が伝達されることが低減されている。
【００２０】
梁部材１４は、床板１１の下面から下方に延びた下延部２９と、床板１１の下面に重ねられ下延部２９の上端部から床板１１の中心側に向かって延びた平板部３０と、下延部２９の下端部に設けられ平板部３０に対向する対向部３１とを有している。床板１１の下面に平板部３０が接続されている。対向部３１の下面に底板１３の上面が接続されている。平板部３０には、換気口３０ａが形成されている。平板部３０は、換気口３０ａが床板１１の換気口１１ａと重なるように配置されている。
【００２１】
巾木台２０の土台部２２の換気口２２ａと、床板１１の換気口１１ａと、梁部材１４の平板部３０の換気口３０ａと、空気流路１９と、底板１３の換気口１３ａとは、かご室１の内外を連通するかご床２の換気路を構成している。
【００２２】
底板１３には、換気口１３ａを開閉する開閉装置３２が設けられている。開閉装置３２は、上端部に開口部３３ａが形成され下端部に開口部３３ｂが形成された箱部材３３と、箱部材３３の下端部に設けられ床板１１の奥行方向に延びた回転軸３４と、回転軸３４に取り付けられ開口部３３ｂを開閉する開閉蓋３５と、駆動することにより回転軸３４を回転させる開閉蓋用駆動装置（図示せず）とを有している。箱部材３３の上端部は、開口部３３ａと換気口１３ａとが互いに重なるように底板１３の下面に取り付けられている。
【００２３】
開閉蓋用駆動装置が駆動していない状態では、開口部３３ｂが開くようになっている。したがって、電源から開閉蓋用駆動装置への電力の供給が遮断された場合には、開口部３３ｂが開くようになっている。開閉蓋用駆動装置が駆動することにより、回転軸３４が回転し、開閉蓋３５が回転する。その結果、開口部３３ｂが開閉される。開閉装置３２は、換気口１３ａを開閉することにより、かご床２の換気路を開閉する。かご（エレベータのかご）は、かご室１と、かご枠と、開閉装置３２とを備えている。
【００２４】
次に、この発明の実施の形態１に係るエレベータのかごの動作について説明する。まず、かごが停止している場合には、開口部３３ｂが開いた状態となり、換気口１３ａは開いた状態となっている。その後、かごが昇降路を昇降する場合には、開閉蓋用駆動装置が駆動し、開閉蓋３５が床板１１と平行となるように回転して、開閉蓋３５が開口部３３ｂを閉じる。これにより、換気口１３ａが開閉装置３２により閉じられる。その結果、かご床２の換気路が閉じられる。かご床２の換気路が閉じられた状態で、かごが昇降路を昇降するので、かごが昇降路を昇降するときに生じるかご内の騒音を低減される。また、かごが昇降路を昇降するときに生じるかご内の気圧の変化が抑制される。
【００２５】
図４は図２の換気路が開いた状態のかごの下端部を示す縦断面図、図５は図２の換気路が開いた状態のかごの下端部を示す斜視図である。昇降しているかごが停止したときには、開閉蓋用駆動装置が駆動し、開閉蓋３５が床板１１と平行となっている状態から傾いて、開口部３３ｂが開く。これにより、換気口１３ａが開く。その結果、かご床２の換気路が開き、空気が換気路を通ってかご内に出入りして、かご内が換気される。
【００２６】
以上説明したように、この発明の実施の形態１に係るエレベータのかごによれば、開閉装置３２がかご床２の換気路を開閉するので、かごが昇降路を昇降するときに、換気路を閉じることができる。その結果、かごが昇降路を昇降するときに生じるかご内の騒音を低減し、また、かごが昇降路を昇降するときに生じるかご内の気圧の変化を抑制することができる。また、かごが停止しているときは、かご床２の換気路が開くので、かご内を換気することができる。
【００２７】
また、開閉装置３２がかご床２の換気路を閉じることができるので、かご内の気圧を制御する気圧制御装置をかごに取り付けた場合に、かご内の気圧をより確実に制御することができる。
【００２８】
また、かご床２は、床板１１と、床板１１から離れて設けられ床板１１に対向する底板１３と、床板１１および底板１３に接続された梁部材１４とを有しているので、床板１１と底板１３との間に空気層が形成される。これにより、底板１３に伝達された音が床板１１に伝達されにくくなる。その結果、かご内の騒音を低減させることができる。
【００２９】
また、開閉装置３２は、かご床２に設けられているので、開閉装置３２を壁３に設けた場合と比較して、壁３の厚みを薄くすることができ、かごの内部空間の横幅方向または奥行方向の寸法を大きくすることができ、また、開閉装置３２を天井４に設けた場合と比較して、天井４におけるエアコンまたは気圧制御装置等を設置するためのスペースを大きくすることができる。
【００３０】
また、かご床２は、床板１１を補強する床梁部材１５をさらに有しているので、かご床２の強度を向上させることができる。
【００３１】
また、巾木台２０の土台部２２に換気口２２ａが形成され、巾木台２０は、巾木２６によりかごの内側から被われているので、かごの内側の意匠性を向上させることができる。
【００３２】
実施の形態２．
図６はこの発明の実施の形態２に係るエレベータのかごの下端部を示す縦断面図、図７は図６のエレベータのかごの下端部を示す斜視図である。図において、各床梁部材１５は、床板１１と底板１３とに接合されている。床梁部材１５には、空気が通過可能な複数の貫通孔１５ａが形成されている。その他の構成は、実施の形態１と同様である。
【００３３】
以上説明したように、この発明の実施の形態２に係るエレベータのかごによれば、床梁部材１５は、床板１１および底板１３に接合されているので、かご床２の強度をさらに向上させることができる。その結果、床梁部材１５を薄型化することができ、かご床２を薄型化することができ、また、床梁部材１５を軽量化することができ、かごの軽量化を図ることができる。
【００３４】
また、床梁部材１５には、貫通孔１５ａが形成されているので、空気流路１９を通過する空気の流れを床梁部材１５が妨げることを防ぐことができる。
【００３５】
なお、各上記実施の形態では、かご床２に換気路が形成されたエレベータのかごについて説明したが、壁３または天井４に換気路が形成されたエレベータのかごであってもよい。この場合、壁３または天井４に開閉装置が設けられる。また、かご床２、壁３および天井４のうちの２つまたは全てに換気路が形成されたエレベータのかごであってもよい。この場合、各換気路に開閉装置が設けられる。
【００３６】
また、各上記実施の形態では、換気口１１ａが形成された床板１１と、床板１１よりも下方に設けられ換気口１３ａが形成された底板１３と、床板１１および底板１３に接続された梁部材１４とを有した二重構造のかご床２を例に説明したが、底板１３および梁部材１４を有さず、床板１１を有した一重構造のかご床であってもよい。
【００３７】
また、各上記実施の形態では、回転軸３４を中心に回転することにより開口部３３ｂを開閉する開閉蓋３５について説明したが、例えば、開口部３３ｂに向かって進退することにより開口部３３ｂを開閉する開閉蓋であってもよく、また、箱部材３３に対してスライドすることにより開口部３３ｂを開閉する開閉蓋であってもよい。
【００３８】
また、各上記実施の形態では、床板１１の換気口１１ａと巾木台２０の土台部２２の換気口２２ａとが重ねられた構成を例に説明したが、床板１１の換気口１１ａが形成されている部分には、巾木台２０の土台部２２が重ねられていない構成であってもよい。この場合、巾木台２０の土台部２２には換気口２２ａを形成する必要がない。
【００３９】
また、各上記実施の形態では、底板１３の換気口１３ａを開閉装置３２が開閉する構成について説明したが、例えば、床板１１の換気口１１ａを開閉装置３２が開閉する構成、または、空気流路１９を開閉装置３２が開閉する構成であってもよい。
【符号の説明】
【００４０】
１  かご室、２  かご床、３  壁、４  天井、５  かご床支持枠、６  出入口、７  正面パネル、８  背面パネル、９  側面パネル、１０  かごドア、１１  床板（内側板部材）、１１ａ  換気口（第１の換気口）、１２  敷物、１３  底板（外側板部材）、１３ａ  換気口（第２の換気口）、１４  梁部材（接続部材）、１５  床梁部材（補強部材）、１５ａ  貫通孔、１６  前梁、１７  後梁、１８  側梁、１９  空気流路、２０  巾木台、２１  立設部、２２  土台部、２２ａ  換気口、２３  対向部、２４  接続部、２５  取付部、２６  巾木、２７  内壁板、２８  外壁板、２９  下延部、３０  平板部、３０ａ  換気口、３１  対向部、３２  開閉装置、３３  箱部材、３３ａ  開口部、３３ｂ  開口部、３４  回転軸、３５  開閉蓋。
【図１】
2011162325.tif 000003
【図２】
2011162325.tif 000004
【図３】
2011162325.tif 000005
【図４】
2011162325.tif 000006
【図５】
2011162325.tif 000007
【図６】
2011162325.tif 000008
【図７】
2011162325.tif 000009